(57)【要約】【課題】本発明は、例えば、自動販売機等に使用されるハンドルロックに関し、ガスバーナー等の熱によってハンドルを溶かし、扉を開扉させてしまう不正行為を、時間が掛かることで行い難くして、犯罪を防止することが課題である。【解決手段】内ケースとこれに内包され前後方向に摺動自在なシリンダー錠と該シリンダー錠の前方端部に設けられる開閉操作用のハンドルと、前記内ケースを筒状収納部で回転自在に遊嵌して支持するとともに前記ハンドルを収納するハンドルケースと、前記内ケースの後部に固設されるとともに回動し所定方向に回動された際には框体の係止部に係止する施錠・解錠用のレバーとからなるハンドルロック１において、前記内ケース２の回動を、ロックピンのストッパー作用が作用しないように規制している熱可塑性部材が加熱され溶融されることで前記規制が解除され、前記ロックピンのストッパー作用によって阻止する、内ケース回動阻止装置７を設けたハンドルロック１である。【選択図】    図１
2004244836.tif 000002
【特許請求の範囲】
【請求項１】
内ケースとこれに内包され前後方向に摺動自在なシリンダー錠と該シリンダー錠の前方端部に設けられる開閉操作用のハンドルと、前記内ケースを筒状収納部で回転自在に遊嵌して支持するとともに前記ハンドルを収納するハンドルケースと、前記内ケースの後部に固設されるとともに回動し所定方向に回動された際には框体の係止部に係止する施錠・解錠用のレバーとからなるハンドルロックにおいて、
前記内ケースの回動を、ロックピンのストッパー作用が作用しないように規制している熱可塑性部材が加熱され溶融されることで前記規制が解除され、前記ロックピンのストッパー作用によって阻止する、内ケース回動阻止装置を設けたこと、
を特徴とするハンドルロック。
【請求項２】
内ケース回動阻止装置は、内ケースに穿設された凹部に充填されている熱可塑性部材と、ハンドルケースに設けられ施錠状態において前記凹部の熱可塑性部材に先端部が当接し当該熱可塑性部材が溶融したときには前記凹部に前記先端部が落ち込むロックピンと、該ロックピンを支持すると共に常に前記凹部側へと付勢する弾性部材とからなること、
を特徴とする請求項１に記載のハンドルロック。
【請求項３】
内ケース回動阻止装置は、ハンドルケースの筒状収納部においてその外周部の前方寄りに設けられた係止部に一端部が係止され後方に他端部が延ばされた熱可塑性のトリガー部材と、該トリガー部材の後部に固定され後方に突出するように立設されたロックピンと、前記ハンドルケースの裏面に固定されて前記トリガー部材を前後方向に移動自在に支持するとともに前記トリガー部材の一端部が溶融した際に後方に突出するロックピンを後方移動の位置規制とハンドル軸心廻りの回動を規制して支持する支持部材と、該支持部材に反力を得て前記トリガー部材を後方に付勢する弾性部材とからなること、
を特徴とする請求項に記載のハンドルロック。
【発明の詳細な説明】
【０００１】
【発明の属する技術分野】
本発明は、ガスバーナー等の熱によってハンドルを溶かし、扉を開扉させてしまう不正行為に対して、扉の開扉を効果的に阻止するハンドルロックに関する。
【０００２】
【従来の技術】
従来において、例えば、自動販売機等の錠前としては、シリンダー錠を解錠させて、シリンダー錠後部から内ケースの貫通孔を半径方向に貫いて突出しハンドルケースの筒状収納部の溝に係止されている閂部材を後退移動させて係止解除させることで、ハンドルを手前側に引き出させ、ポップアップした前記ハンドルを所定方向に回転させることでフックを回し、自動販売機本体との係止を解除させて扉を開扉させるハンドルロックが知られている。しかし、最近、ガスバーナーによりその火炎を噴射してハンドルを溶かし、前記シリンダー錠を無理矢理抜き取り又は回転させて、ハンドルロックの前記閂部材を直接係止解除させることで、ハンドルをポップアップさせて開扉させるという悪質な行為が横行している。
【０００３】
このような不正開扉行為に対して、前記ハンドルロックのシリンダー錠とその後方の閂部材とを連結して回動駆動伝達する連結杆を、高熱で溶ける合成樹脂製で形成することで、前記シリンダー錠が不正な行為で強制的に回転させられても、閂部材の係止解除方向への移動を阻止しポップアップできないようにして、前記不正開扉行為の熱対策としているものが知られている（例えば、特許文献１参照。）。
【０００４】
【特許文献１】
特開平０７−２２９３３９号公報（第２頁乃至第５頁、第１図）
【０００５】
【発明が解決しようとする課題】
しかしながら、前記熱対策においては、シリンダー錠の後端面に連結して連結杆が設けられ更にその後方に閂部材が設けられているので、シリンダー錠が抜き取られたときに、前記連結杆が完全に溶けていても、棒状の工具（例えば、ねじ回し）等で閂部材が直接駆動され、ハンドルがポップアップされてしまい、短時間に扉が開扉されるおそれがある。そこで、本発明はそのような課題を解決するために提案されたものである。
【０００６】
【課題を解決するための手段】
上記課題を解決するために、本発明に係るハンドルロックの要旨は、内ケースとこれに内包され前後方向に摺動自在なシリンダー錠と該シリンダー錠の前方端部に設けられる開閉操作用のハンドルと、前記内ケースを筒状収納部で回転自在に遊嵌して支持するとともに前記ハンドルを収納するハンドルケースと、前記内ケースの後部に固設されるとともに回動し所定方向に回動された際には框体の係止部に係止する施錠・解錠用のレバーとからなるハンドルロックにおいて、前記内ケースの回動を、ロックピンのストッパー作用が作用しないように規制している熱可塑性部材が加熱され溶融されることで前記規制が解除され、前記ロックピンのストッパー作用によって阻止する、内ケース回動阻止装置を設けたことである。
【０００７】
また、前記内ケース回動阻止装置は、内ケースに穿設された凹部に充填されている熱可塑性部材と、ハンドルケースに設けられ施錠状態において前記凹部の熱可塑性部材に先端部が当接し当該熱可塑性部材が溶融したときには前記凹部に前記先端部が落ち込むロックピンと、該ロックピンを支持すると共に常に前記凹部側へと付勢する弾性部材とからなること、；
更に、前記内ケース回動阻止装置は、ハンドルケースの筒状収納部においてその外周部の前方寄りに設けられた係止部に一端部が係止され後方に他端部が延ばされた熱可塑性のトリガー部材と、該トリガー部材の後部に固定され後方に突出するように立設されたロックピンと、前記ハンドルケースの裏面に固定されて前記トリガー部材を前後方向に移動自在に支持するとともに前記トリガー部材の一端部が溶融した際に後方に突出するロックピンを後方移動の位置規制とハンドル軸心廻りの回動を規制して支持する支持部材と、該支持部材に反力を得て前記トリガー部材を後方に付勢する弾性部材とからなることを含むものである。
【０００８】
本発明に係るハンドルロックによれば、内ケース回動阻止装置によって、不法行為者がガスバーナーでハンドル（若しくはシリンダー錠の周辺）を溶かして、ハンドルがポップアップされてしまっても、内ケース回動阻止装置ケースがハンドル軸心廻りに回転不可能にされているので、扉を開扉させることができない。
【０００９】
よって、シリンダー錠を抜き取り、更に、前記閂部材を直接係止解除方向へ駆動させて、ハンドルをポップアップさせるまでの時間をかけても、まだ扉を開扉させることができないのである。このように、扉が開扉される間での時間を稼ぐことで、犯罪を未然に防止することができる。
【００１０】
【発明の実施の形態】
次に、本発明に係るハンドルロック１について、図面を参照して説明する。図１（Ａ），（Ｂ）に示すように、ハンドルロック１は、円筒状の内ケース２と、これに内包され前後方向に摺動自在なシリンダー錠３と、該シリンダー錠３の前方端部に設けられる開閉操作用のハンドル４と、前記内ケース２を筒状収納部５ａで回転自在に遊嵌して支持するとともに、前記ハンドル４を凹部に面一となるように収納するハンドルケース５と、前記内ケース２の後部に固設されるとともに回動し所定方向に回動された際には、自動販売機等の框体における係止部に係止する施錠・解錠用のレバー６とからなる。
【００１１】
そして、前記内ケース２の回動を、例えばガスバーナー等で高温に加熱されることで溶融しロックピンのストッパー作用を解止させることで阻止する、内ケース回動阻止装置７が設けられている。この内ケース回動阻止装置７は、シリンダー錠３の周囲が高熱で溶かされシリンダー錠３が抜き取られても、内ケース２の回動を阻止する事により、ハンドルロック１後部の内ケース回動阻止装置７が溶かされるまでの間、自動販売機等の扉の開扉ができないようにして、少しでも時間を稼ぐものである。
【００１２】
前記内ケース回動阻止装置７は、その第１実施例として、図１（Ａ），（Ｂ）に示すように、前記ハンドルケース５の筒状収納部５ａにおいてその外周部の前方寄りに凹部にして設けられた係止部５ｂがある。この係止部５ｂにＬ字型に屈曲形成された一端部８ａが係止され、後方に他端部８ｂが延ばされた熱可塑性のトリガー部材８がある。
【００１３】
図２乃至図３に示すように、前記トリガー部材８は、熱可塑性の合成樹脂製部材で形成されている。このトリガー部材８の後部は、後述の弾性部材１１の端部が入り込んで位置ズレしないように壁等が形成されてなる収納部８ｃがある。
【００１４】
前記トリガー部材８の後部の端面に固定され、ハンドルロック１の後方に突出するように立設された金属製のロックピン９がある。このロックピン９の長さや太さ等は、前記トリガー部材８の長さや、ロック必要強度に応じて設定される。
【００１５】
更に、図１に示すように、前記ハンドルケース５の裏面に配設されて框体への固定用に使用されるねじ部に、共締めでネジ止めされて固定されるもので、前記トリガー部材８を前後方向に移動自在に支持するとともに、前記トリガー部材８の一端部８ａが溶融した際に、後方に突出する前記ロックピン９を後方移動の位置規制とハンドル軸心ａ廻りの回動を規制して支持する、金属製の支持部材１０がある。
【００１６】
前記支持部材１０は、図４（Ａ）に示すように、ハンドルケース５にネジ止めするための取付板１０ａと、規制板１０ｂと、この両者を連結する連結板１０ｃとで成る。前記取付板１０ａには、取付孔１０ｄが２箇所に穿設され、筒状収納部５ａの下部を避けるように切り欠かれている。前記規制板１０ｂには、前記ロックピン９を貫通させる貫通孔１０ｅが設けられている。
【００１７】
更に、前記支持部材１０に反力を得て前記トリガー部材８を後方に付勢する弾性部材である、コイルバネ１１が設けられる。そして、図４（Ｂ），（Ｃ）に示すように、支持部材１０に、前記トリガー部材８，ロックピン９及びコイルバネ１１を組み立てて、図１（Ｂ）に示すように、この支持部材１０が、前記規制板１０ｂを後方に向けて、筒状収納部５ａの下側に取り付けられる。
【００１８】
前記支持部材１０が筒状収納部５ａの下部に取り付けられた状態で、当該筒状収納部５ａの後端面には、図１（Ａ），（Ｂ）に示すように、金属製で、内ケース２の抜け防止とその回動を略９０度の範囲に規制するカム部材１２と、施錠・解錠用のレバー６とが、位置決めされてネジ１４で固設されている。
【００１９】
前記カム部材１２は、図１（Ｃ）に示すように、前記ロックピン９との衝突位置に対応させるべく、その一部が膨出され膨出部１２ａとなっている。このような、内ケース回動阻止装置７を有したハンドルロック１の作用について説明する。
【００２０】
図５に示すように、窃盗者が例えば自動販売機等に取り付けられているハンドルロック１に対して、ガスバーナーの火炎をシリンダー錠３の周囲に吹き付けて、不正な解錠をしようとすると、前記ガスバーナーによる熱がハンドルロック１全体に伝熱する。
【００２１】
前記熱が筒状収納部５ａに伝わり、熱可塑性のトリガー部材８のＬ字型の一端部８ａが溶融する。これにより、係止部５ｂとの係止状態が解消されてしまい、コイルバネ１１の後方への付勢力により、トリガー部材８が規制板１０ｂに当接するまで後方に移動する。それにより、ロックピン９が貫通孔１０ｅから更に後方に突出する。
【００２２】
そして、前記ガスバーナーによってシリンダー錠３の周囲が溶かされて、筒状収納部５ａの溝に係止されてシリンダー錠３の前方への抜けを防止する閂部材が、工具等で直接駆動されると、シリンダー錠３及びハンドル４がポップアップされる。当該ハンドル４が開扉方向に回動されると、共に回動するカム部材１２の膨出部１２ａが、ロックピン９の後端部に当接して、ハンドル軸心ａ廻りの回動が阻止される。
【００２３】
前記ロックピン９が、筒状収納部５ａの後部にあるので、その部分に熱が伝熱してガスバーナーの熱により溶かされるまでには、相当の時間が必要となる。
これにより、扉の不正な開扉に時間が掛かり、犯罪が防止されるのである。
【００２４】
また、内ケース回動阻止装置７の第２実施例は、図６に示すように、前記内ケース２に穿設された凹部２ａに充填されている熱可塑性部材１５と、ハンドルケース５に設けられ施錠状態において前記凹部２ａの熱可塑性部材１５に先端部１６ａが当接し当該熱可塑性部材１５が溶融したときには前記凹部２ａに前記先端部１６ａが落ち込むロックピン１６と、該ロックピン１６を例えばかしめ等によって端部に固着して支持すると共に、常に前記凹部２ａ側へと付勢する弾性部材１７とからなる。
【００２５】
前記弾性部材１７は、板バネ１７であり、その基部側が筒状収納部５ａの外周面に固着されている。このような第２実施例に係る内ケース回動阻止装置７によれば、ガスバーナーによって内ケース２に内包されるシリンダー錠３の周囲が溶かされると、内ケース２にも熱が伝熱され、熱可塑性部材１５が溶融する。
【００２６】
すると、図７に示すように、ロックピン１６が板バネ１７の付勢力によって、凹部２ａ側に押さえつけられ、先端部１６ａが凹部２ａに落ち込む。これにより、ロックピン１６のストッパー作用が働いて、内ケース２の回動が阻止される。よって、カム部材１２の回動が阻止されて扉が開扉されないものである。
【００２７】
以上のように、内ケース回動阻止装置７は、内ケース２の回動を阻止する装置であるが、通常状態では、ロックピンのストッパー作用が働かないように、例えば、合成樹脂の熱可塑性部材によって停止され、該熱可塑性部材が不正な開扉行為によって溶融されると、前記停止作用が解消されて、ロックピンのストッパー作用が働いて、施錠・解錠用のレバー６が固設される内ケース２の回動が阻止される。
【００２８】
【発明の効果】
上記説明したように、本発明に係るハンドルロックは、内ケースとこれに内包され前後方向に摺動自在なシリンダー錠と該シリンダー錠の前方端部に設けられる開閉操作用のハンドルと、前記内ケースを筒状収納部で回転自在に遊嵌して支持するとともに前記ハンドルを収納するハンドルケースと、前記内ケースの後部に固設されるとともに回動し所定方向に回動された際には框体の係止部に係止する施錠・解錠用のレバーとからなるハンドルロックにおいて、前記内ケースの回動を、ロックピンのストッパー作用が作用しないように規制している熱可塑性部材が加熱され溶融されることで前記規制が解除され、前記ロックピンのストッパー作用によって阻止する、内ケース回動阻止装置を設けたので、ガスバーナーによる熱溶融で扉を開扉させようとしても、内ケースを回せない。よって、ハンドルロック全体を溶かす必要があり、それまでには多くの時間が掛かって、結局のところ、不正行為を防止することが可能となると言う優れた効果を奏するものである。
【００２９】
前記内ケース回動阻止装置は、内ケースに穿設された凹部に充填されている熱可塑性部材と、ハンドルケースに設けられ施錠状態において前記凹部の熱可塑性部材に先端部が当接し当該熱可塑性部材が溶融したときには前記凹部に前記先端部が落ち込むロックピンと、該ロックピンを支持すると共に常に前記凹部側へと付勢する弾性部材とからなることから、簡易な構成で本発明の目的を達成することができる。
【００３０】
更に、前記内ケース回動阻止装置は、ハンドルケースの筒状収納部においてその外周部の前方寄りに設けられた係止部に一端部が係止され後方に他端部が延ばされた熱可塑性のトリガー部材と、該トリガー部材の後部に固定され後方に突出するように立設されたロックピンと、前記ハンドルケースの裏面に固定されて前記トリガー部材を前後方向に移動自在に支持するとともに前記トリガー部材の一端部が溶融した際に後方に突出するロックピンを後方移動の位置規制とハンドル軸心廻りの回動を規制して支持する支持部材と、該支持部材に反力を得て前記トリガー部材を後方に付勢する弾性部材とからなるので、ガスバーナの熱により、比較的早くトリガー部材の一端部が溶融し、内ケースが早い段階で回動不可能に成される。これによって、不正な開扉に時間が掛かり、犯罪防止に貢献するものとなる。
【図面の簡単な説明】
【図１】本発明に係るハンドルロック１の、一部を断面にした側面図（Ａ）、背面図（Ｂ）、正面図（Ｃ）である。
【図２】同本発明に係るハンドルロック１における、トリガー部材８、ロックピン９及びコイルバネ１１の斜視図である。
【図３】同本発明に係るハンドルロック１における、トリガー部材８の底面図である。
【図４】同本発明に係るハンドルロック１における、支持部材１０の斜視図（Ａ）と、組み立てた際の断面図（Ｂ）と、正面図（Ｃ）である。
【図５】同本発明に係るハンドルロック１の、ロックピン９がストッパー作用したときの、一部を断面にした側面図である。
【図６】同本発明に係るハンドルロック１における、内ケース回動阻止装置７の第２実施例に係る側断面図（Ａ）、背面図（Ｂ）である。
【図７】同第２実施例における、ロックピン１６が作用した状態を示す背面図である。
【符号の説明】
１        ハンドルロック、        ２          内ケース、
２ａ      凹部、                  ３          シリンダー錠、
４        ハンドル、              ５          ハンドルケース、
５ａ      筒状収納部、            ５ｂ        係止部、
６        レバー、                ７          内ケース回動阻止装置、
８        トリガー部材、          ８ａ        一端部、
８ｂ      他端部、                ８ｃ        収納部、
９        ロックピン、            １０        支持部材、
１０ａ    取付板、                １０ｂ      規制板、
１０ｃ    連結板、                １０ｄ      取付孔、
１０ｅ    貫通孔、                １１        コイルバネ、
１２      カム部材、              １２ａ      膨出部、
１４      ネジ、                  １５        熱可塑性部材、
１６      ロックピン、            １６ａ      先端部、
１７      板バネ。
【図１】
2004244836.tif 000003
【図２】
2004244836.tif 000004
【図３】
2004244836.tif 000005
【図４】
2004244836.tif 000006
【図５】
2004244836.tif 000007
【図６】
2004244836.tif 000008
【図７】
2004244836.tif 000009